(57)【要約】【課題】買物客と販売員が適切なコミュニケーションをとりながら商品の選択および販売を行うことができる接客システムおよびそのプログラムを提供する。【解決手段】商品の画像が含まれる接客用画面を表示手段で表示し、その接客用画面に対する操作に応じて同接客用画面内の商品を選定する。そして、選定した商品の合計金額を表示手段で表示するとともに、その合計金額を決済する。【選択図】      図１
2014134894.tif 000002
【特許請求の範囲】
【請求項１】
表示手段と、
商品の画像が含まれる接客用画面を前記表示手段で表示し、その接客用画面に対する操作に応じて同接客用画面内の商品を選定する選定手段と、
前記選定手段が選定した商品の合計金額を前記表示手段で表示する制御手段と、
前記合計金額を決済する会計手段と、
を備えることを特徴とする接客システム。
【請求項２】
前記表示手段は、接客用のテーブルまたはディスプレイボードに配置したタッチパネル式表示部であり、
前記会計手段は、前記テーブルまたはディスプレイボードに配置したカード決済用の端末である、
ことを特徴とする請求項１に記載の接客システム。
【請求項３】
前記接客用画面は、商品の画像をその商品に関する商品情報と共に表示するための商品案内画面、前記選定手段が選定した商品の画像またはその商品に関する商品情報を表示するための選定商品画面を含む、
ことを特徴とする請求項１または請求項２に記載の接客システム。
【請求項４】
前記制御手段は、前記選定商品画面内の画像または商品情報に対応する商品の合計金額を求め、求めた合計金額を前記表示手段で表示する、
ことを特徴とする請求項３に記載の接客システム。
【請求項５】
前記選定商品画面は、当該選定商品画面内の画像または商品情報に対応する商品を購入対象として確定するための確定キーの表示を含み、
前記端末は、前記確定キーに対する操作があったとき、前記制御手段が求めた合計金額の会計処理を実行する、
ことを特徴とする請求項４に記載の接客システム。
【請求項６】
表示手段およびコンピュータを備える接客システムにおいて、
前記コンピュータに、
商品の画像が含まれる接客用画面を前記表示手段で表示し、その接客用画面に対する操作に応じて同接客用画面内の商品を選定する機能と、
前記選定した商品の合計金額を前記表示手段で表示する機能と、
前記合計金額を決済する機能と、
を実現させることを特徴とするプログラム。
【発明の詳細な説明】
【技術分野】
【０００１】
この発明は、商品販売処理の機能を備えた接客システムおよびそのプログラムに関する。
【背景技術】
【０００２】
顧客への案内情報や販促情報を対面式のレジカウンタの上面の表示部で表示しながら商品販売処理を実行する装置が知られている。
【０００３】
商品を購入しようとする買物客は、販売員による作業が行われる間、レジカウンタ上に表示される情報を見ながら販売員の作業を待つことができる。
【先行技術文献】
【特許文献】
【０００４】
【特許文献１】特開２００８―２１７４８８号公報
【発明の概要】
【発明が解決しようとする課題】
【０００５】
上記のような商品販売処理装置は、買物客によって持ち込まれる商品の販売処理を行うだけである。買物客によっては、商品を購入する前の段階で、販売員の助言などを受けたい場合がある。
【０００６】
実施形態の目的は、買物客と販売員が適切なコミュニケーションをとりながら商品の選択および販売を行うことができる接客システムおよびそのプログラムを提供することである。
【課題を解決するための手段】
【０００７】
請求項１の接客システムは、表示手段、選定手段、制御手段、および会計手段を備える。選定手段は、商品の画像が含まれる接客用画面を前記表示手段で表示し、その接客用画面に対する操作に応じて同接客用画面内の商品を選定する。制御手段は、前記選定手段が選定した商品の合計金額を前記表示手段で表示する。会計手段は、前記合計金額を決済する。
【図面の簡単な説明】
【０００８】
【図１】一実施形態の構成を示す図。
【図２】一実施形態の制御回路を示すブロック図。
【図３】一実施形態の制御を説明するためのフローチャート。
【図４】一実施形態のテーブルで表示する接客用画面を示す図。
【図５】一実施形態の会計端末で表示する会計画面を示す図。
【図６】図５の会計画面上にポップアップ表示される案内画面を示す図。
【発明を実施するための形態】
【０００９】
以下、この発明の一実施形態について図面を参照して説明する。  
図１に示すように、店舗内に、接客用かつ対面式のテーブル１を配置する。このテーブル１の上面に、タッチパネル式表示部２を面一状態で配置する。このタッチパネル式表示部２を制御するコントローラ１０を、テーブル１の下面側に配置する。この配置については、テーブル１の内部に埋め込んだり、テーブル１に引出しがある場合はそこに収納したり、あるいはテーブル１の脚部や側板に取付けてもよい。
【００１０】
テーブル１の上面において、タッチパネル式表示部２の隣りの領域３に、会計手段としてカード決済をすることができる会計端末２０を配置する。
【００１１】
会計端末２０は、店舗内のＰＯＳ（Point of Sales）システムを構築するもので、タッチパネル式表示部２１、カードリーダ２２、プリンタ２３、およびドロワ２７を有する。カードリーダ２２は、顧客から提示される決済用のカードたとえばクレジットカードやデビットカード等が挿入されてスライドされることにより、そのカードに記録されているデータを読取る。プリンタ２３は、会計情報をロール紙にプリントし、それをレシートとして排出する。ドロワ２７は、現金による会計時に扱う現金を収容する。
【００１２】
このような構成の接客システムの制御回路を図２に示す。  
まず、タッチパネル式表示部２は、カラーの画像表示が可能な表示モジュール２ａ、およびこの表示モジュール２ａ上に配置したフルタッチパネル２ｂを有し、グラフィカルユーザインタフェース（Graphical User Interface；ＧＵＩ）として機能する。
【００１３】
コントローラ１０は、マイクロコンピュータにより構成され、ＣＰＵ１１、表示コントローラ１２、ハードディスクドライブ（ＨＤＤ）１３、ＲＯＭ１４、ＲＡＭ１５、および無線通信ユニット１６を有する。
【００１４】
表示コントローラ１２は、ＣＰＵ１１により生成される種々の画面を表示モジュール２ａで表示するとともに、フルタッチパネル２ｂがタッチされたときにそのタッチの位置に対応する表示モジュール２ａの表示内容を入力情報としてＣＰＵ１１に供給する。
【００１５】
ハードディスクドライブ１３は、会計端末２０の会計処理に必要な商品コードや商品価格データなどを含む商品マスタデータベース、販売用の各種商品の画像データを含む商品画像データベース、販売促進用の画像データや文字データを含む販促データベースなどを記憶している。
【００１６】
ＲＯＭ１４は、ＣＰＵ１１の制御に必要なプログラム、タッチパネル式表示部２の画像表示による商品販売処理に必要な各種アプリケーションプログラム、タッチパネル式表示部２で表示する種々の画面を生成するための文字データや画像データを記憶するとともに、これら文字データや画像データおよび上記商品画像データベースから読出される画像データの表示領域を表示モジュール２ａ上で指定するための座標データを記憶している。
【００１７】
ＲＡＭ１５は、各種データの記憶用である。無線通信ユニット１６は、通信ネットワークたとえばＬＡＮ（ローカル・エリア・ネットワーク）３０を介して、ＣＰＵ１１と管理サーバ３１との間でデータを送受信する。
【００１８】
管理サーバ３１は、上記ＰＯＳシステムを構築するもので、ＣＰＵ１１とのデータ送受信により、ハードディスクドライブ１３内の商品マスタデータベース、商品画像データベース、販促データベースなどを適宜に更新する。
【００１９】
会計端末２０は、上記タッチパネル式表示部２１、カードリーダ２２、プリンタ２３、ドロワ２７を有するとともに、マイクロコンピュータのＣＰＵ２４、ＲＯＭ２５、ＲＡＭ２６を有する。
【００２０】
ＣＰＵ２４は、コントローラ１０のＣＰＵ１１にケーブル接続される。ＲＯＭ２５は、ＣＰＵ２４の制御に必要なプログラム、会計処理に必要なアプリケーションプログラム、タッチパネル式表示部２１で表示する種々の画面を生成するための文字データや画像データを記憶している。ＲＡＭ２６は、各種データの記憶用である。
【００２１】
そして、コントローラ１０のＣＰＵ１１および会計端末２０のＣＰＵ２４は、ＲＯＭ１４，２５内のプログラムに基づく主要な機能として、次の（１）〜（３）の手段を有する。
【００２２】
（１）商品の画像が含まれる接客用画面をタッチパネル式表示部２で表示し、その接客用画面に対するタッチ操作に応じて同接客用画面内の商品を選定する選定手段。
【００２３】
（２）上記選定手段が選定した商品の合計金額を求め、求めた合計金額をタッチパネル式表示部２で表示する制御手段。
【００２４】
（３）上記制御手段が求めた合計金額を会計端末２０において決済する会計制御手段。
【００２５】
なお、上記接客用画面は、商品の画像をその商品に関する商品情報と共に表示するための商品案内画面、前記選定手段が選定した商品の画像またはその商品に関する商品情報を表示するための選定商品画面、動作モードの設定などのために販売員がタッチ操作する販売員操作画面などを含む。
【００２６】
上記（２）の制御手段は、具体的には、上記選定商品画面内の画像または商品情報に対応する商品の合計金額を求める。上記選定商品画面は、当該選定商品画面内の画像または商品情報に対応する商品を購入対象として確定するための確定キーの表示を含む。
【００２７】
上記（３）の会計制御手段は、上記確定キーに対する操作があったとき、上記制御手段が求めた合計金額の会計処理を会計端末２０において実行する。
【００２８】
これらＣＰＵ１１，２４が実行する制御を図３のフローチャートを参照しながら説明する。  
コントローラ１０のＣＰＵ１１は、図４に示す接客用画面４０をタッチパネル式表示部２で表示する（ステップ１０１）。そして、ＣＰＵ１１は、接客用画面４０に対するタッチ操作に応じて同接客用画面４０内の商品を選定する（ステップ１０２）。
【００２９】
続いて、ＣＰＵ１１は、選定した商品の合計金額を求めてタッチパネル式表示部２で表示する（ステップ１０３）。
【００３０】
会計端末２０のＣＰＵ２４は、接客用画面４０内の後述の確定キー４３ｂに対するタッチ操作があった場合（ステップ１０４）、上記求めた合計金額を買物客から提示されるカードあるいは現金に基づいて会計処理する（ステップ１０５）。
【００３１】
これら制御の具体例を買物客の実際の操作に合せて説明する。  
まず、接客用画面４０は、商品の画像をその商品に関する商品情報と共に表示するための商品案内画面４１をほぼ全域に拡がる大きさで含む。また、接客用画面４０は、この商品案内画面４１内の片側に、その商品案内画面４１における顧客操作により選定される商品の画像およびその商品に関する商品情報を表示するための選定商品画面４２を含む。さらに、接客用画面４０は、動作モードの設定などのために販売員がタッチ操作する販売員操作画面４３を含む。
【００３２】
販売員操作画面４３に対する販売員のタッチ操作によってキセカエモード（着せ替えモード）が設定された場合、ＣＰＵ１１は、ハードディスクドライブ１３内の商品画像データベースに基づき、服飾品画像４１ａ，４１ｂ，４１ｃ，４１ｄ…を『商品を選んでタッチ＆スライドしてください』という案内文と共に商品案内画面４１において表示する。服飾品画像４１ａ，４１ｂ，４１ｃ，４１ｄ…は、それぞれの商品情報として商品名および価格の文字表示を含む。
【００３３】
買物客は、テーブル１を挟んで販売員に向き合いながら、必要に応じて販売員の説明に耳を傾けながら、商品案内画面４１内の服飾品画像４１ａ，４１ｂ，４１ｃ，４１ｄ…のうち、好みの服飾品画像の表示領域に手指でタッチし、タッチした手指をそのまま選定商品画面４２までスライドする。服飾品画像４１ｂのタッチ＆スライド操作を図４に太線矢印で示している。
【００３４】
キセカエモードの場合、選定商品画面４２はキセカエ作業画面４３を含む。そして、このキセカエ作業画面４３は、身体画像４３ａ、確定キー４３ｂ、オールリセットキー４３ｃの表示を含む。
【００３５】
ＣＰＵ１１は、上記タッチ＆スライド操作された服飾品画像４１ｂを、身体画像４３ａの上に重なるように合成して表示する。この合成表示に伴い、ＣＰＵ１１は、商品案内画面４１内の服飾品画像４１ｂの表示を消す。なお、ＣＰＵ１１は、この場合、服飾品画像４１ｂの表示を消すことなく、そのまま残してもよい。
【００３６】
また、上記選定商品画面４２は、キセカエ作業画面４３のほかに、商品情報画面４４を含む。そして、この商品情報画面４４は、キセカエ作業画面４３で表示される全ての服飾品画像に対応する商品情報表示欄４４ａ，４４ｂ，…および合計金額表示欄４４ｎの表示を含む。
【００３７】
ＣＰＵ１１は、商品情報表示欄４４ａにおいて、服飾品画像４１ｂに対応する服飾品の商品情報（ビッグバルーン風シャツワンピース；6,980円）、その服飾品の購入個数たとえば“１”、その購入個数をタッチ操作によって増減設定するためのプラス（＋）キーとマイナス（−）キー、およびその服飾品をタッチ操作によってキャンセルするためのキャンセル（×）キーを表示する。
【００３８】
この表示に伴い、ＣＰＵ１１は、商品情報表示欄４４ａ，４４ｂ，…に表示した全ての商品情報における商品価格を合計し、その合計金額を合計金額表示欄４４ｎに表示する。
【００３９】
買物客は、身体画像４３ａと服飾品画像４１ｂとの合成画像を見ることで、服飾品画像４１ｂに対応する服飾品を購入しようかどうか判断することができる。
【００４０】
買物客は、上記同様のタッチ＆スライド操作を繰り返すことにより、別の服飾品画像４１ａ，４１ｃ，４１ｄ…のいずれかをさらに重ねて合成表示させることも可能である。
【００４１】
買物客は、服飾品画像４１ｂが気に入らない場合、キセカエ表示画面４３内の服飾品画像４１ｂの表示にタッチ操作してそのタッチ操作をそのまま商品案内画面４１までスライドする。
【００４２】
この操作時、ＣＰＵ１１は、キセカエ表示画面４３内の服飾品画像４１ｂの表示を消して、その服飾品画像４１ｂの表示を商品案内画面４１において復活する。さらに、ＣＰＵ１１は、キセカエ表示画面４３内の服飾品画像４１ｂの表示を消すと同時に、商品情報画面４４内の商品情報表示欄４４ａの表示も消す。
【００４３】
買物客は、合成表示中の服飾品画像４１ｂが気に入らない場合、服飾品画像４１ｂの表示に対するタッチ＆スライド操作に代えて、商品情報表示欄４４ａ内のキャンセル（×）キーの表示にタッチ操作してもよい。あるいは、買物客は、キセカエ表示画面４３内のオールリセットキー４３ｃの表示にタッチ操作してもよい。
【００４４】
オールリセットキー４３ｃの表示にタッチ操作された場合、ＣＰＵ１１は、身体画像４３ａ上に重なる全ての服飾品画像の表示を消して、その全ての服飾品画像の表示を商品案内画面４１において復活する。
【００４５】
買物客は、身体画像４３ａに重ねた１つまたは複数の服飾品画像が気に入ってその服飾品を購入したい場合、キセカエ表示画面４３内の確定キー４３ｂの表示にタッチ操作する。ＣＰＵ１１は、確定キー４３ｂの表示がタッチ操作されると、会計処理の実行を会計端末２０のＣＰＵ２４に指令する。
【００４６】
会計端末２０のＣＰＵ２４は、ＣＰＵ１１からの指令に従い、商品情報表示欄４４ａ，４４ｂ，…に表示されている全ての商品情報に対応する商品の会計処理を実行する。
【００４７】
この会計処理の実行に際し、ＣＰＵ２４は、図５に示す会計画面５０を会計端末２０のタッチパネル式表示部２１で表示する。
【００４８】
会計画面５０は、上記商品情報表示欄４４ａ，４４ｂ，…と内容が同じ商品情報表示欄５１ａ，５１ｂ，…、この商品情報表示欄５１ａ，５１ｂ，…の表示を上下方向にスライド表示させるスライド表示キー５２ａ，５２ｂ、上記合計金額表示欄４４ｎと内容が同じ合計金額表示欄５３、カード決済を指定するためのカード決済キー５４、現金決済を指定するための現金決済キー５５などの表示を含む。
【００４９】
販売員は、買物客がカード決済を希望する場合、カード決済キー５４の表示にタッチ操作する。ＣＰＵ２４は、このタッチ操作に従い、図６に示す案内画面６０を会計画面５０上にポップアップ表示する。案内画面６０は、買物客が所持するカードを当該会計端末２０のカードリーダ２２に挿入してスライド操作するように販売員に案内するためのものである。
【００５０】
会計端末２０のＣＰＵ２４は、カードリーダ２２の読取り情報に基づき、さらにはタッチパネル式表示部２１へのタッチ操作によって必要に応じて入力される暗証番号等の識別情報に基づき、カード決済を完了する。
【００５１】
コントローラ１０のＣＰＵ１１は、ＣＰＵ２４の会計完了に伴い、選定商品画面４２の表示内容を買物客の購入済み商品一覧として、販売員側に向くように１８０度回転して表示する。販売員は、購入済み商品一覧に含まれる商品を店舗内の陳列棚や倉庫から抽出してきて、それを目の前の買物客に差し出す。商品を後で抽出して買物客の自宅に配送することも可能である。
【００５２】
買物客にとっては、販売員の助言を受けながら、しかも商品の画像をタッチパネル式表示部２上で着せ替え表示して楽しみながら、好みの商品を選び出すことができる。しかも買物客にとっては、選び出した商品をその場でカード決済することができる。買物客のカードを販売員が別の場所に持っていくことがないので、買物客にとっては安心であり、店舗の信頼性向上につながる。
【００５３】
販売員にとっては、タッチパネル式表示部２の表示を媒介にして買物客とのコミュニケーションをとりながら、場合によっては専門的な助言を与えながら、商品を販売することができる。タッチパネル式表示部２の操作が分からない買物客に対しては、適切な操作をその場で買物客に教えることもできる。
【００５４】
なお、上記実施形態では、テーブル１に配置したタッチパネル式表示部２を表示手段として用いたが、例えば、商品説明のプレゼンテーションや会議などで用いる床置き式のディスプレイボードにタッチパネル式表示部を配置し、それを表示手段として用いることも可能である。
【００５５】
上記実施形態では、服飾品に関するキセカエモードを例に説明したが、自動車を販売する店舗であれば、販売員がテーブル１を挟んで来店者とのコミュニケーションをとりながら自動車およびそのオプション部品を販売するモードの設定も可能である。来店者は、自動車のオプション部品や車体カラーの画像をタッチパネル式表示部２の車体画像表示に適宜に合成しながら、好みの自動車を選び出すことができる。
【００５６】
旅行商品を販売する店舗であれば、販売員がテーブル１を挟んで来店者とのコミュニケーションをとりながら旅行の企画・提案・オプションツアー等を販売するモードの設定も可能である。来店者は、行きたい場所やホテルの画像をタッチパネル式表示部２の写真画像表示に適宜に組合せながら、好みの旅行を選び出すことができる。
【００５７】
その他、上記実施形態は、例として提示したものであり、発明の範囲を限定することは意図していない。この新規な実施形態は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００５８】
１…テーブル、２…タッチパネル式表示部、１０…コントローラ、１１…ＣＰＵ、１２…表示コントローラ、１３…ハードディスクドライブ、１４…ＲＯＭ、１５…ＲＡＭ、２０…会計端末、２１…タッチパネル式表示部、２２…カードリーダ、２３…プリンタ、２４…ＣＰＵ、２５…ＲＯＭ、２６…ＲＡＭ、３０…ＬＡＮ、３１…管理サーバ
【図１】
2014134894.tif 000003
【図２】
2014134894.tif 000004
【図３】
2014134894.tif 000005
【図４】
2014134894.tif 000006
【図５】
2014134894.tif 000007
【図６】
2014134894.tif 000008